(57)【特許請求の範囲】
【請求項１】
複数の相隣接する建物ユニットを下部構造体に接合する建物の据付構造において、
建物ユニットが床パネルの外縁に壁パネルを立設し、壁パネルが縦枠材と下枠材とを有し、壁パネルの下枠材を床パネルに接合してなり、
下部構造体に植設される連結ボルトを相隣接する建物ユニットの間隔内に立上げ、
引き寄せ金物が水平板の一辺に垂直板の下辺を直角に接合して構成され、該水平板に設けられているボルト孔を前記連結ボルトの立上げ端に通し、該垂直板を相隣接する建物ユニットの相並ぶ壁パネルの縦枠材に添わせて固定するとともに、該連結ボルトの立上げ端にナットを装填することを特徴とする建物の据付構造。
【請求項２】
前記下部構造体が基礎である請求項１に記載の建物の据付構造。
【発明の詳細な説明】
【技術分野】
【０００１】
本発明は建物の据付構造に関する。
【背景技術】
【０００２】
建物の据付構造として、特許文献１に記載の如く、建物ユニットを基礎に接合する据付構造として、基礎に引き寄せ金物を連結し、この引き寄せ金物に建物ユニットにおける壁パネルの縦枠材を固定してなるものがある。
【先行技術文献】
【特許文献】
【０００３】
【特許文献１】特開平10-292482
【発明の概要】
【発明が解決しようとする課題】
【０００４】
従来技術において、２個の相隣接する建物ユニットを基礎に接合するに当り、特許文献１に記載の据付構造を利用するときには、各建物ユニット毎に別個となる２個の引き寄せ金物を用いることになる。即ち、基礎に２個の引き寄せ金物を連結し、各引き寄せ金物のそれぞれに対応する建物ユニットの縦枠材を固定するものになる。
【０００５】
しかしながら、従来技術では、２個の相隣接する建物ユニットを基礎に接合するために２個の引き寄せ金物を用いる必要があり、部品コストが嵩む。また、２個の引き寄せ金物を基礎に連結する必要があり、基礎に２個の引き寄せ金物を連結するための２個の連結ボルトが必要になり、基礎の連結ボルトが植設される上面幅も大型になる。
【０００６】
本発明の課題は、複数の相隣接する上部構造体を下部構造体に接合する構造の簡素化を図ることにある。
【０００７】
本発明の他の課題は、複数の相隣接する上部構造体を下部構造体に接合する構造の小型化を図ることにある。
【課題を解決するための手段】
【０００８】
請求項１に係る発明は、複数の相隣接する建物ユニットを下部構造体に接合する建物の据付構造において、建物ユニットが床パネルの外縁に壁パネルを立設し、壁パネルが縦枠材と下枠材とを有し、壁パネルの下枠材を床パネルに接合してなり、下部構造体に植設される連結ボルトを相隣接する建物ユニットの間隔内に立上げ、引き寄せ金物が水平板の一辺に垂直板の下辺を直角に接合して構成され、該水平板に設けられているボルト孔を前記連結ボルトの立上げ端に通し、該垂直板を相隣接する建物ユニットの相並ぶ壁パネルの縦枠材に添わせて固定するとともに、該連結ボルトの立上げ端にナットを装填するようにしたものである。
【０００９】
請求項２に係る発明は、請求項１に係る発明において更に、前記下部構造体が基礎であるようにしたものである。
【発明の効果】
【００１２】
（請求項１）
(a)複数の相隣接する上部構造体を下部構造体に接合するに当り、下部構造体に単一の引き寄せ金物を連結し、この引き寄せ金物に複数の上部構造体の相並ぶ構造材を固定した。従って、単一の引き寄せ金物により、複数の上部構造体を下部構造体に接合でき、その接合の構造を簡素化でき、部品コストを低減できる。
【００１３】
(b)複数の上部構造体の相並ぶ構造材が単一の引き寄せ金物に固定されるから、相隣接する上部構造体が直接的に接続される状態で、下部構造体に接合される。従って、建物の構造強度を強化できる。
【００１４】
(c)上部構造体を建物ユニットにすることができる。
【００１５】
(d)下部構造体に植設される連結ボルトを相隣接する上部構造体の間隔内に立上げ、この連結ボルトの立上げ端に引き寄せ金物を連結した。従って、上部構造体の床パネル等に連結ボルトのためのボルト挿通孔等を設けることなく、連結ボルトを相隣接する上部構造体の間隔内で、下部構造体〜上部構造体に渡って簡易に延在できる。連結ボルトの本数は相隣接する上部構造体の個数に関係なく、唯１本等に集約できる。
【００１６】
（請求項２）
(e)下部構造体が基礎であるとき、この基礎に据付けられて相隣接する上部構造体の間隔に対応する位置（基礎の上面幅の中央部）に連結ボルトを植設すれば足りる。従って、基礎の上面幅を小型化できる。
【図面の簡単な説明】
【００１７】
【図１】図１はユニット建物を示す斜視図である。
【図２】図２はユニット建物の据付構造を示す断面図である。
【図３】図３は相隣接する建物ユニットと引き寄せ金物を示す斜視図である。
【発明を実施するための形態】
【００１８】
図１に示すユニット建物１は、基礎１０（下部構造体）に複数の相隣接する建物ユニット２０（上部構造体）を接合して構築されたものである。
【００１９】
基礎１０は、図２に示す如く、立上り１１と、立上り１１の下部の土間コンクリート１２を備える。立上り１１には連結ボルト１３が植設され、立上り１１の上面には基礎パッキン１４を介して土台１５が設けられる。土間コンクリート１２には束１６が立ち、束１６には大引き１７が載置される。
【００２０】
建物ユニット２０は、床パネル３０と、床パネル３０の外縁に立設される壁パネル４０とから構成される。床パネル３０は、床枠組３１を構成する床根太３１Ａと端根太３１Ｂの上面に床板３２を貼設される。壁パネル４０は、壁枠組４１を構成する縦枠材４１Ａと下枠材４１Ｂと上枠材４１Ｃに壁面材４２を貼設される。建物ユニット２０にあっては、壁パネル４０の下枠材４１Ｂが床パネル３０の床板３２、端根太３１Ｂに釘打ち等により接合される。
【００２１】
ユニット建物１にあっては、２個の相隣接する建物ユニット２０を基礎１０に接合する手段として、単一の引き寄せ金物５０が用いられる。引き寄せ金物５０は、図２、図３に示す如く、水平板５１と垂直板５２と三角状補強板５３とから構成される。水平板５１の一辺に垂直板５２の下辺を溶接し、水平板５１と垂直板５２を直角に接合し、水平板５１と垂直板５２の左右の側辺に左右の補強板５３を溶接して構成されるものである。
【００２２】
以下、２個の相隣接する建物ユニット２０を基礎１０に接合する構造を、その手順とともに説明する。
【００２３】
(1)２個の相隣接する建物ユニット２０のそれぞれを、基礎１０の立上り１１の両側に吊り下ろす。各建物ユニット２０は、それらの床パネル３０を構成している床枠組３１の端根太３１Ｂを基礎１０の立上り１１の上面に設けられている土台１５上であって、連結ボルト１３に対する側傍に載置するとともに、それらの床枠組３１の床根太３１Ａを基礎１０の土間コンクリート１２に立てた束１６上の大引き１７に載置する。
【００２４】
このとき、基礎１０の立上り１１に植設されている連結ボルト１３は、相隣接する２個の建物ユニット２０の間隔内にて立上げられるものになる。
【００２５】
(2)相隣接する２個の建物ユニット２０の間隔内に立上げられている連結ボルト１３の立上げ端に、引き寄せ金物５０の水平板５１の中央に設けられているボルト孔５１Ａを通し、水平板５１を相隣接する２個の建物ユニット２０の相並ぶ壁パネル４０における壁枠組４１の下枠材４１Ｂ上に添わせ、垂直板５２をそれらの相並ぶ壁枠組４１の縦枠材４１Ａに添わせる。
【００２６】
引き寄せ金物５０の垂直板５２の中央を挟む両側に設けてある多数の釘孔５２Ａに挿通される釘６３を用いて、２個の建物ユニット２０の相並ぶ壁パネル４０における壁枠組４１の縦枠材４１Ａを引き寄せ金物５０の垂直板５２に釘打ち固定する。
【００２７】
同時に、引き寄せ金物５０の水平板５１のボルト孔５１Ａに通してある連結ボルト１３の立上げ端に座金６１、ナット６２を装填し、２個の建物ユニット２０の相並ぶ壁パネル４０における壁枠組４１の下枠材４１Ｂを引き寄せ金物５０の水平板５１に固定する。
【００２８】
(3)基礎１０の立上り１１の上面に載置されている２個の建物ユニット２０における床パネル３０の床枠組３１の端根太３１Ｂ同士を、スペーサ６４を挟んで、釘６５により相接合する。
【００２９】
本実施例によれば以下の作用効果を奏する。
(a)複数の相隣接する建物ユニット２０を基礎１０に接合するに当り、基礎１０に単一の引き寄せ金物５０を連結し、この引き寄せ金物５０に複数の建物ユニット２０の相並ぶ床枠組３１及び壁枠組４１を固定した。従って、単一の引き寄せ金物５０により、複数の建物ユニット２０を基礎１０に接合でき、その接合の構造を簡素化でき、部品コストを低減できる。
【００３０】
(b)複数の建物ユニット２０の相並ぶ床枠組３１及び壁枠組４１が単一の引き寄せ金物５０に固定されるから、相隣接する建物ユニット２０が直接的に接続される状態で、基礎１０に接合される。従って、建物１の構造強度を強化できる。
【００３１】
(c)上部構造体を建物ユニット２０にすることができる。
【００３２】
(d)基礎１０に植設される連結ボルト１３を相隣接する建物ユニット２０の間隔内に立上げ、この連結ボルト１３の立上げ端に引き寄せ金物５０を連結した。従って、建物ユニット２０の床パネル３０等に連結ボルト１３のためのボルト挿通孔等を設けることなく、連結ボルト１３を相隣接する建物ユニット２０の間隔内で、基礎１０〜建物ユニット２０に渡って簡易に延在できる。連結ボルト１３の本数は相隣接する建物ユニット２０の個数に関係なく、唯１本等に集約できる。
【００３３】
(e)下部構造体が基礎１０であるとき、この基礎１０に据付けられて相隣接する建物ユニット２０の間隔に対応する位置（基礎１０の上面幅の中央部）に連結ボルト１３を植設すれば足りる。従って、基礎１０の上面幅を小型化できる。
【００３４】
以上、本発明の実施の形態を図面により記述したが、本発明の具体的な構成はこの実施の形態に限られるものではなく、本発明の要旨を逸脱しない範囲の設計の変更等があっても本発明に含まれる。
【産業上の利用可能性】
【００３５】
本発明は、複数の相隣接する上部構造体を下部構造体に接合する建物の据付構造において、下部構造体に単一の引き寄せ金物を連結し、この引き寄せ金物に複数の上部構造体の相並ぶ構造材を固定してなるものにした。これにより、複数の相隣接する上部構造体を下部構造体に接合する構造の簡素化を図ることができる。
【００３６】
また、本発明は、上記下部構造体に植設される連結ボルトを相隣接する上部構造体の間隔内に立上げ、この連結ボルトの立上げ端に引き寄せ金物を連結してなるものにした。これにより、複数の相隣接する上部構造体を下部構造体に接合する構造の小型化を図ることができる。
【符号の説明】
【００３７】
１  ユニット建物（建物）
１０  基礎（下部構造体）
１３  連結ボルト
２０  建物ユニット（上部構造体）
３１  床枠組（構造材）
４１  壁枠組（構造材）
５０  引き寄せ金物
【図１】
0005612896.tif 000002
【図２】
0005612896.tif 000003
【図３】
0005612896.tif 000004